(57)【要約】【課題】水の入れ換え時に、深さを異ならせた水槽に容易に対処できて、ゴミ取りも効率的に行うことができる水槽用ポンプを提供すること。【解決手段】水槽用ポンプ１０は、把持して操作する吸水ポンプと、吸水ポンプの吸水側から延びて、砂利を捕捉してゴミを通過可能なストレーナ３０を配設させた吸水管路１６と、吸水ポンプの排水側から延びる排水管路と、を備える。吸水管路１６は、蛇腹部１９を有して曲げ可能とするポンプ側ホース１７と、ホース１７に着脱自在に取り付けられて形状保持性を有した円筒状の透明パイプ２５と、パイプ２５に着脱自在に取り付け可能としてストレーナ３０を備えた円筒状のノズル２９と、を備える。ノズル２９は、先端部３１側を、パイプ２５のホース側接続部２６に対して着脱自在に接続可能とし、元部３２側を、パイプ２５に対して着脱可能で、ホース１７のパイプ側接続部２１に対して着脱自在に接続される。【選択図】図２
0003121107.tif 000002
【実用新案登録請求の範囲】
【請求項１】
観賞魚用水槽内の水の入れ換えとゴミ取りに使用可能に、把持して操作する吸水ポンプと、該吸水ポンプの吸水側から延びて、砂利を捕捉してゴミを通過させるためのストレーナを配設させた吸水管路と、前記吸水ポンプの排水側から延びる排水管路と、を備えて、前記吸水管路の先端側を前記水槽内に挿入させて使用する水槽用ポンプであって、
前記吸水管路が、前記吸水ポンプに連なって蛇腹部を有して曲げ可能とするポンプ側ホースと、該ポンプ側ホースに着脱自在に取り付けられて形状保持性を有した円筒状の透明パイプと、該透明パイプに着脱自在に取り付け可能として前記ストレーナを備えた円筒状のノズルと、を備えて構成され、
前記ノズルが、先端側を、前記透明パイプにおける前記ポンプ側ホースとのホース側接続部に対して着脱自在に接続可能とし、元部側を、前記透明パイプの先端側に対して着脱可能とするとともに、前記ポンプ側ホースにおける前記透明パイプとのパイプ側接続部に対して着脱自在に接続可能として、構成されていることを特徴とする水槽用ポンプ。
【請求項２】
前記透明パイプが、全長にわたって内外径の寸法を均等とした円筒形として、
前記ノズルの先端側が、前記透明パイプを挿入させて嵌合可能に、内径寸法を、前記透明パイプの外径寸法に対応させて構成され、
前記ノズルの元部側が、外径寸法を前記透明パイプの外径寸法と略等しくさせた大径筒部と、該大径筒部から突出して、前記透明パイプに対して挿入させて嵌合可能な小径筒部と、を備えて構成され、
前記ポンプ側ホースのパイプ側接続部が、前記透明パイプと前記ノズルとを挿入させて嵌合可能に、内径寸法を前記透明パイプと前記ノズルの大径筒部との外径寸法に対応させた先側筒部と、該先側筒部の奥側に連なって、内径寸法を前記ノズルの小径筒部に対応させた奥側筒部と、を配設させて構成されるとともに、外周側に、前記先側筒部における前記透明パイプと前記ノズルの大径筒部との接続時の外周面を内周側に押圧可能に、弾性変形可能な固定リングを配設させて構成されていることを特徴とする請求項１に記載の水槽用ポンプ。
【請求項３】
前記透明パイプを前記水槽の内周面に固定可能に、前記透明パイプの外周に、前記水槽の内周面に吸着可能な吸盤が、配設されていることを特徴とする請求項１若しくは請求項２に記載の水槽用ポンプ。
【請求項４】
前記ポンプ側ホースに、周壁を曲げ可能として、内周側の開口面積を調整可能な流量調整部が配設されるとともに、
該流量調整部の外周側に、前記流量調整部の内周側の開口面積を大、中、小と調整可能な三種類の開口面積の穴部を有した挿通孔を備えた流量調整器が、装着されていることを特徴とする請求項１乃至請求項３のいずれか１項に記載の水槽用ポンプ。
【考案の詳細な説明】
【技術分野】
【０００１】
本考案は、観賞魚用水槽内の水の入れ換えとゴミ取りに使用可能な水槽用ポンプに関する。
【背景技術】
【０００２】
従来、観賞魚用水槽の水の入れ換え等に使用する水槽用ポンプでは、把持して操作するようなベローズポンプからなる吸水ポンプと、吸水ポンプの吸水側から延びる吸水管路と、吸水ポンプの排水側から延びる排水管路と、を備えるとともに、吸水管路の先端側に、砂利を捕捉してゴミを通過させるためのストレーナを配設させて構成されている（例えば、特許文献１及び特許文献２参照）。そして、吸水管路では、吸水ポンプ側の部位に、曲げ可能な蛇腹部が配設されるとともに、先端側では、形状保持性を有した透明パイプが配設されて、透明パイプの先端側に、ストレーナを設けたノズルが接続されていた。
【０００３】
この種の水槽用ポンプでは、使用時、吸水ポンプから延びた排水管路側を、水槽の外の下方に配置させたバケツ等で受けておき、吸水管路の先端側を蛇腹部で曲げて下向きとして、ノズルを水槽内の底部側に向け、そして、吸水ポンプを把持して、水槽内の水をノズルから透明パイプや吸水ポンプを経てバケツ側に送り、その後、サイホンの原理を利用しつつ、形状保持性を有した透明パイプを把持して、ノズルを所定の方向に向けつつ、水槽底部の砂利を吸水ポンプ側に吸い込まないようにし、かつ、砂利の間から水草や糞等のゴミを吸い込むようにして、水槽内の水を吸引していた。
【特許文献１】意匠登録第１１５８１８７号公報
【特許文献２】特開平１１−３２５０００号公報
【考案の開示】
【考案が解決しようとする課題】
【０００４】
しかし、従来の水槽用ポンプでは、透明パイプの長さが、通常の水槽の高さ程度（２５〜５０ｃｍ程度）と略等しい２５〜４０ｃｍ程度としていた。そのため、深さ１０〜１５ｃｍ程度の浅い水槽の水を吸い込む際には、水槽から透明パイプの元部側が大きく上方へ出てしまい、透明パイプが邪魔をして、ノズルを所定の部位に配置させることに不便となる場合があった。また、浅い水槽では、水槽内に入っている水の量も少ないことから、吸水を完了しようとしてノズルを水面から上げると、透明パイプ内の水が水槽内に戻ってしまい、水換えする水の量の割合も低くさせてしまう。
【０００５】
また、砂利の間のゴミを取り除く際、ノズルのストレーナに直ちに砂利が当たるため、効率的にごみを取り除き難かった。
【０００６】
本考案は、上述の課題を解決するものであり、水の入れ換え等において、深さを異ならせた水槽に容易に対処できて、ゴミ取りも効率的に行うことができる水槽用ポンプを提供することを目的とする。
【課題を解決するための手段】
【０００７】
本考案に係る水槽用ポンプは、観賞魚用水槽内の水の入れ換えとゴミ取りに使用可能に、把持して操作する吸水ポンプと、吸水ポンプの吸水側から延びて、砂利を捕捉してゴミを通過させるためのストレーナを配設させた吸水管路と、吸水ポンプの排水側から延びる排水管路と、を備えて、吸水管路の先端側を水槽内に挿入させて使用する水槽用ポンプであって、
吸水管路が、吸水ポンプに連なって蛇腹部を有して曲げ可能とするポンプ側ホースと、ポンプ側ホースに着脱自在に取り付けられて形状保持性を有した円筒状の透明パイプと、透明パイプに着脱自在に取り付け可能としてストレーナを備えた円筒状のノズルと、を備えて構成され、
ノズルが、先端側を、透明パイプにおけるポンプ側ホースとのホース側接続部に対して着脱自在に接続可能とし、元部側を、透明パイプの先端側に対して着脱可能とするとともに、ポンプ側ホースにおける透明パイプとのパイプ側接続部に対して着脱自在に接続可能として、構成されていることを特徴とする。
【０００８】
本考案に係る水槽用ポンプでは、通常の使用時には、吸水管路において、ポンプ側ホースに透明パイプを接続し、その透明パイプの先端にノズルを接続させて使用する。この通常使用時には、吸水ポンプから延びた排水管路側を、水槽の外の下方に配置させたバケツ等で受けておき、ポンプ側ホースの蛇腹部で曲げて、ノズルを水槽内の底部側に向け、そして、吸水ポンプを把持操作して、水槽内の水をノズルから透明パイプや吸水ポンプを経てバケツ側に送り、その後、サイホンの原理を利用しつつ、形状保持性を有した透明パイプの上端付近を把持して、ノズルを所定の方向に向けつつ、ストレーナに捕捉される水槽底部の砂利を吸水ポンプ側に吸い込まないようにし、かつ、砂利の間から水草や糞等のゴミを吸い込むようにして、水槽内の水を吸引する。
【０００９】
そして、高さの低い水槽の水を吸引する場合には、吸水管路において、透明パイプを使用せずに、ポンプ側ホースの先端に、直接、ノズルを接続させて使用する。この場合の使用時には、ノズル付近を把持して、高さの低い水槽の底部にノズルを向けて、水槽内の水を吸引する。この作業は、透明パイプが無いことから、ノズル付近を把持して、直接、ノズルの操作が行えて、作業を円滑に行うことができる。また、吸水を完了しようとしてノズルを水面から上げても、透明パイプが無いことから、ノズルから水槽上端付近のポンプ側ホースの部位までの短い長さ分の水が水槽内に戻るだけであり、水換えする水の量の割合を増加させることもできる。
【００１０】
さらに、砂利の間のゴミを効率的に吸い込む場合には、吸水管路において、ポンプ側ホースにノズルを接続し、そのノズルの先端に透明パイプを接続させて使用する。この場合の使用時には、透明パイプの先端側を下向きにして水槽底部の砂利の部位に差し込む等して、水槽内の水を吸引すれば、水流の影響により、砂利が、透明パイプの下端側から侵入して上端側のノズルの部位まで（透明パイプの長さ分）上昇し、その際、透明パイプの内周面や砂利相互で擦れて、砂利の間に詰まっていたゴミや、砂利に付着していたゴミを剥離させて、効率的にゴミを吸い込むことができる。勿論、透明パイプの上端側には、ゴミを通過させて砂利を捕捉するためのストレーナを有したノズルが配設されており、砂利や魚を吸水ポンプ側に通過させないことから、吸水ポンプの弁等の故障や魚の傷付けを防止できる。
【００１１】
したがって、本考案に係る水槽用ポンプでは、水の入れ換え等において、深さを異ならせた水槽に容易に対処できて、ゴミ取りも効率的に行うことができる。
【００１２】
そして、本考案に係る水槽用ポンプでは、次のように構成することが望ましい。透明パイプは、全長にわたって内外径の寸法を均等とした円筒形として、ノズルの先端側は、透明パイプを挿入させて嵌合可能に、内径寸法を、透明パイプの外径寸法に対応させて構成する。さらに、ノズルの元部側は、外径寸法を透明パイプの外径寸法と略等しくさせた大径筒部と、大径筒部から突出して、透明パイプに対して挿入させて嵌合可能な小径筒部と、を設けて構成する。そして、ポンプ側ホースのパイプ側接続部は、透明パイプとノズルとを挿入させて嵌合可能に、内径寸法を透明パイプとノズルの大径筒部との外径寸法に対応させた先側筒部と、先側筒部の奥側に連なって、内径寸法をノズルの小径筒部に対応させた奥側筒部と、を配設させて構成するとともに、外周側に、先側筒部における透明パイプとノズルの大径筒部との接続時の外周面を内周側に押圧可能に、弾性変形可能な固定リングを配設させて構成する。
【００１３】
このような構成では、ポンプ側ホースのパイプ側接続部は、透明パイプと接続される場合には、先側筒部に透明パイプを挿入嵌合させて行い、ノズルと接続させる場合には、奥側筒部にノズルの小径筒部を挿入嵌合させ、かつ、先側筒部にノズルの大径筒部を挿入嵌合させて行う。そして、これらの嵌合時に、固定リングをパイプ側接続部における先側筒部の外周側に嵌めれば、先側筒部が透明パイプやノズルの大径筒部に押し付けられて、シール性良く、接続させることができる。
【００１４】
また、このような構成では、浅い水槽の水換え時において、ポンプ側ホースのパイプ側接続部にノズルを接続させる際、相互の嵌合部位は、奥側筒部に小径筒部が挿入嵌合され、かつ、先側筒部に大径筒部が挿入嵌合されて、ある程度の長さの剛性部位となって、浅い水槽の水を吸引する際のノズル操作時、ノズル先端側を水の中に入れて、嵌合部位近傍の付近のポンプ側ホースの部位を水面上で把持して、手を水の中に入れずに、ノズルを操作することができる。
【００１５】
また、透明パイプを水槽の内周面に固定可能に、透明パイプの外周に、水槽の内周面に吸着可能な吸盤を、配設させておけば、吸盤を水槽の内周面に吸着させて、透明パイプを水槽に固定しておくことができて、透明パイプから手を離して、吸水ポンプ等の操作を行うことができる。
【００１６】
さらに、ポンプ側ホースに、周壁を曲げ可能として、内周側の開口面積を調整可能な流量調整部を配設させるとともに、流量調整部の外周側に、流量調整部の内周側の開口面積を大、中、小と調整可能な三種類の開口面積の穴部を有した挿通孔を備えた流量調整器を、装着させてもよい。このような構成では、流量調整器の挿通孔における所定の穴部に、ポンプ側ホースの流量調整部を配置させれば、開口面積を大、中、小と変化させるように流量調整部を曲げることができて、流量を調整して水を吸い込むことができ、水の減りに応じて掃除や魚を採る等の作業を効率的に行うことができる。勿論、ポンプ側ホースの流量調整部自体を摘んで閉じれば、水の吸い込み自体を中断できて、透明パイプや吸水ポンプ側への細かい砂や魚等の侵入を緊急停止できる。
【考案を実施するための最良の形態】
【００１７】
以下、本考案の一実施形態を図面に基づいて説明すると、実施形態の水槽用ポンプ１０は、図１〜４に示すように、把持して操作する吸水ポンプ１１と、吸水ポンプ１１の吸水側から延びて、砂利を捕捉してゴミを通過させるためのストレーナ３０（図２と図３参照）を配設させた吸水管路１６と、吸水ポンプ１１の排水側から延びる排水管路１３と、を備えて構成されている。
【００１８】
吸水ポンプ１１は、蛇腹状の本体１１ａを備えたベローズポンプからなり、吸水口部１１ｂと排水口部１１ｃとの内部にそれぞれ図示しない逆止弁を配設させて、本体１１ａを把持して解放することを繰り返せば、吸水口部１１ｂから本体１１ａ内に水Ｗを吸水し、かつ、本体１１ａ内の水Ｗを排水口部１１ｃから排水することとなる。
【００１９】
排水管路１３は、曲げ可能な蛇腹ホース１４からなり、蛇腹ホース１４は、元部１４ａ側を吸水ポンプ１１の排水口部１１ｃに外周側から嵌めて接続させ、先端部１４ｂ側をバケツＶ等に挿入させることとなる。吸水管路１６は、ポンプ側ホース１７と、透明パイプ２５と、ノズル２９とを備えて構成されている。
【００２０】
ポンプ側ホース１７は、塩化ビニル・ポリエチレン等の軟質合成樹脂等からブロー成形により形成される一体成形品としており、両端部のポンプ側接続部１８とパイプ側接続部２１、及び、流量調整部２０を除いて曲げ可能な蛇腹部１９とするような蛇腹ホースから形成されている。ポンプ側接続部１８は、吸水ポンプ１１の吸水口部１１ｂに外周側から嵌めて接続されている。
【００２１】
パイプ側接続部２１は、透明パイプ２５とノズル２９の元部３２側とを着脱自在に接続させるものであり（図２のＡ・Ｂ参照）、実施形態の場合には、円筒状として、パイプ側接続部２１の先端側に配置される先側筒部２２と、先側筒部２２の奥側に連なって配置される奥側筒部２３と、を備えて構成されている。先側筒部２２は、透明パイプ２５とノズル２９とを挿入させて嵌合可能に、内径寸法Ｈ１を透明パイプ２５の外径寸法ＰＤとノズル２９の大径筒部３３の外径寸法ＮＤ１に対応させており（ＰＤ≒Ｈ１≒ＮＤ１）、奥側筒部２３は、内径寸法Ｈ２をノズル２９の小径筒部３４の外径寸法ＮＤ２に対応させている（Ｈ２≒ＮＤ２）。
【００２２】
また、先側筒部２２の外周側には、先側筒部２２における透明パイプ２５やノズル２９の大径筒部３３との接続時の外周面を内周側に押圧可能に、弾性変形可能な固定リング３８が配設されている。この固定リング３８は、ポリオレフィン系等の熱可塑性エラストマーやゴム等から形成されている。なお、実施形態では、吸水ポンプ１１の吸水口部１１ｂと排水口部１１ｃとの接続部位にも、同様な固定リング３６が使用されている。
【００２３】
流量調整部２０は、内周側の開口面積を調整できるように、周壁を曲げ可能とした円筒形状として形成されている。この流量調整部２０の外周側には、流量調整器４２が、装着されている。流量調整器４２は、図１と図８に示すように、流量調整器４２の内周側の開口面積を大、中、小と調整可能な三種類の開口面積の穴部（大開口部４４、中開口部４５、及び、小開口部４６）を有した挿通孔４３を備えて構成されている。流量調整器４２は、ポリプロピレンの硬質合成樹脂から形成され、挿通孔４３の３つの大開口部４４、中開口部４５、及び、小開口部４６に、流量調整部２０を嵌めれば、流量調整部２０における水Ｗの通る開口面積が大、中、小とそれぞれ調整される。
【００２４】
なお、実施形態の水槽用ポンプ１０では、流量調整部２０を大開口部４４に配置させて、流量調整部２０の開口面積を最大としても、流量調整部２０自体の内径寸法や、他の部位のポンプ側ホース１７の蛇腹部１９や透明パイプ２５の内径寸法が、通常の水槽用ポンプより小さく形成されており、吸水時に従来品より水の減りを抑えることができて、吸水中での水槽内の掃除等を行い易く構成されている。
【００２５】
透明パイプ２５は、蛇腹ホース１４やポンプ側ホース１７よりも剛性の高い形状保持性を有しており、実施形態の場合、透明な硬質塩化ビニル等の合成樹脂製としている。また、実施形態の透明パイプ２５は、元部２５ａ側のホース側接続部２６から先端部２５ｂ側のノズル側接続部２７までの全長にわたって、内外径の寸法を均等とした円筒形として構成されている。
【００２６】
透明パイプ２５の外周には、透明パイプ２５を水槽１の内周面４ｂに固定可能に（図７参照）、水槽１の内周面４ｂに吸着可能な吸盤４０が、配設されている。吸盤４０は、吸着部４０ａと、透明パイプ２５の外周に弾性変形させるように嵌めて取り付け可能な円環部４０ｂと、から構成されている。
【００２７】
ノズル２９は、透明パイプ２５とポンプ側ホース１７のパイプ側接続部２１に対して着脱自在に取り付けられるものであり、先端側を拡開させるようにテーパ状とした円筒状としている。ノズル２９は、前後方向の略中間位置の内部に、砂利６を捕捉してゴミ７を通過させるための細かい多数の穴３０ａを設けたストレーナ３０を配設させている。このノズル２９は、透明パイプ２５と同様な剛性の高い形状保持性を有しており、ポリプロピレン等の硬質合成樹脂から形成されている。
【００２８】
また、ノズル２９のストレーナ３０より先端側の先端部３１は、拡開した先端側に複数の凹溝３１ａを設けて、吸水作業時における先端側が塞がれ難くし、吸水性能を低下させないように構成されている。先端部３１の内周面におけるストレーナ３０側の奥部３１ｂは、透明パイプ２５を挿入させて嵌合させ易いように、ストレート状として、内径寸法Ｎｄを透明パイプ２５の外径寸法ＰＤに対応させている（Ｎｄ≒ＰＤ）。
【００２９】
ノズル２９のストレーナ３０より元部側の元部３２は、透明パイプ２５の先端部２５ｂ側に対して着脱可能とするとともに、ポンプ側ホース１７のパイプ側接続部２１に対して着脱自在に接続される部位としている。そして、元部３２は、大径筒部３３と大径筒部３３から突出する小径筒部３４とを備えた段差の付いた円筒状としている。大径筒部３３は、ポンプ側ホース１７のパイプ側接続部２１における先側筒部２２に挿入させて嵌合可能に、外径寸法ＮＤ１を、透明パイプ２５の外径寸法ＰＤや先側筒部２２の内径寸法Ｈ１に対応させて設定されている（ＰＤ≒Ｈ１≒ＮＤ１）。小径筒部３４は、透明パイプ２５やポンプ側ホース１７のパイプ側接続部２１における奥側筒部２３に対して挿入させて嵌合可能に、外径寸法ＮＤ２を透明パイプ２５の内径寸法Ｐｄや奥側筒部２３の内径寸法Ｈ２に対応させている（Ｐｄ≒Ｈ２≒ＮＤ２）。
【００３０】
この水槽用ポンプ１０を使用して通常の高さの水槽１の水換えを行う場合には、図４に示すように、水槽用ポンプ１０は、吸水管路１６において、ポンプ側ホース１７のパイプ側接続部２１に透明パイプ２５を接続し、その透明パイプ２５の先端部２５ｂ側にノズル２９を接続させて使用する（図２のＡ参照）。そして、この通常使用時には、排水管路１３の蛇腹ホース１４の先端部１４ｂ側を、水槽１の外の下方に配置させたバケツＶ等で受けておき、ポンプ側ホース１７の蛇腹部１９で曲げて、ノズル２９を水槽１内の底部３側に向け、そして、吸水ポンプ１１を把持操作して、水槽１内の水Ｗをノズル２９から透明パイプ２５や吸水ポンプ１１を経てバケツＶ側に送り、その後、サイホンの原理を利用しつつ、形状保持性を有した透明パイプ２５の上端付近を把持して、ノズル２９を所定の方向に向けつつ、ストレーナ３０に捕捉される水槽１の底部３の砂利６を吸水ポンプ１１側に吸い込まないようにし、かつ、砂利６の間から水草や糞等のゴミ７を吸い込むようにして、水槽１内の水Ｗを吸引する。
【００３１】
そして、高さの低い水槽（例えば亀水槽）２の水Ｗを吸引する場合には、図５に示すように、吸水管路１６において、透明パイプ２５を使用せずに、ポンプ側ホース１７のパイプ側接続部２１に、直接、ノズル２９を接続させて使用する（図２のＢ参照）。この場合の使用時には、ノズル２９付近を把持して、高さの低い亀水槽２の底部３にノズル２９を向けて、亀水槽２内の水Ｗを吸引する。この作業は、透明パイプ２５が無いことから、ノズル２９付近を把持して、直接、ノズル２９の操作が行えて、作業を円滑に行うことができる。また、吸水を完了しようとしてノズル２９を水面から上げても、透明パイプ２５が無いことから、ノズル２９から亀水槽２の周壁部４における上端４ａ付近のポンプ側ホース１７の部位までの短い長さ分の水Ｗが亀水槽２内に戻るだけであり、水換えする水Ｗの量の割合を増加させることもできる。
【００３２】
さらに、砂利６の間のゴミ７を効率的に吸い込む場合には、図６と図２のＢの二点鎖線に示すように、吸水管路１６において、ポンプ側ホース１７のパイプ側接続部２１にノズル２９を接続し、そのノズル２９の先端部３１に透明パイプ２５を接続させて使用する。この場合の使用時には、透明パイプ２５の先端部２５ｂ側を下向きにして水槽１の底部３の砂利６の部位に差し込む等して、水槽１内の水Ｗを吸引すれば、水流の影響により、砂利６が、透明パイプ２５の下端側から侵入して上端側のノズル２９の部位まで（透明パイプ２５の長さ分）上昇し、その際、透明パイプ２５の内周面や砂利６相互で擦れて、砂利６の間に詰まっていたゴミ７や、砂利６に付着していたゴミ７を剥離させて、効率的にゴミ７を吸い込むことができる。勿論、透明パイプ２５の上端側には、ゴミ７を通過させて砂利６を捕捉するためのストレーナ３０を有したノズル２９が配設されており、砂利６や魚を吸水ポンプ１１側に通過させないことから、吸水ポンプ１１の弁等の故障や魚の傷付けを防止できる。
【００３３】
したがって、実施形態の水槽用ポンプ１０では、水Ｗの入れ換え時等において、深さを異ならせた水槽１や亀水槽２等に容易に対処できて、ゴミ７取りも効率的に行うことができる。
【００３４】
また、実施形態の水槽用ポンプ１０では、ポンプ側ホース１７のパイプ側接続部２１における先側筒部２２や奥側筒部２３、透明パイプ２５、及び、ノズル２９の先端部３１や元部３２の大径筒部３３、小径筒部３４が、所定の内径寸法（Ｈ１、Ｈ２、Ｐｄ、及び、Ｎｄ）と外径寸法（ＰＤ、ＮＤ１、及び、ＮＤ２）としている。そして、ポンプ側ホース１７のパイプ側接続部２１を透明パイプ２５と接続させる場合には、先側筒部２２に透明パイプ２５を挿入嵌合させて行い、パイプ側接続部２１をノズル２９と接続させる場合には、奥側筒部２３にノズル２９の小径筒部３４を挿入嵌合させ、かつ、先側筒部２２にノズル２９の大径筒部３３を挿入嵌合させて行う。そして、これらの嵌合時に、固定リング３８をパイプ側接続部２１における先側筒部２２の外周側に嵌めれば、先側筒部２２が透明パイプ２５やノズル２９の大径筒部３３に押し付けられて、シール性良く、接続させることができる。
【００３５】
また、このような構成では、浅い亀水槽２に使用する際において、ポンプ側ホース１７のパイプ側接続部２１に、ノズル２９を接続させる際、相互の嵌合部位は、奥側筒部２３に小径筒部３４が挿入嵌合され、かつ、先側筒部２２に大径筒部３３が挿入嵌合されて、ある程度の長さの剛性部位となって、浅い亀水槽２の水Ｗを吸引する際のノズル２９の操作時、ノズル２９の先端部３１側を水Ｗの中に入れて、嵌合部位近傍の付近のポンプ側ホース１７の部位を水面上で把持して、手を水の中に入れずに、ノズル２９を操作することができる。
【００３６】
また、図１と図７に示すように、透明パイプ２５の外周に吸盤４０を配設させておけば、吸盤４０の吸着部４０ａを水槽１の内周面４ｂに吸着させて、透明パイプ２５を水槽１に固定しておくことができて、透明パイプ２５から手を離して、吸水ポンプ１１等の操作や掃除を行うことができる。
【００３７】
さらに、実施形態では、図８に示すように、流量調整器４２の挿通孔４３における所定の穴部（大開口部４４、中開口部４５、及び、小開口部４６）に、ポンプ側ホース１７の流量調整部２０を配置させれば、開口面積を大、中、小と変化させるように流量調整部２０を曲げることができて、流量を調整して水Ｗを吸い込むことができ、水の減りに応じて清掃や魚を採る等の作業を効率的に行うことができる。勿論、ポンプ側ホース１７の流量調整部２０自体を摘んで閉じれば、水Ｗの吸い込み自体を中断できて、透明パイプ２５や吸水ポンプ１１側への細かい砂や魚等の侵入を緊急停止できる。
【００３８】
なお、実施形態の水槽用ポンプ１０の場合、ノズル２９の長さＬ１を約６ｃｍとして、透明パイプ２５の長さＬ２を、高さを３０ｃｍ以下とした水槽１用とするように、ノズル２９の長さ寸法の４倍程度の約２５ｃｍとしているが、３５〜５０ｃｍの高さの水槽の水の入れ換え等をする水槽用ポンプの場合には、長さＬ２を３０〜４５ｃｍ程度に長くした透明パイプ２５を準備しておけばよい。また、そのような高い高さの水槽に対応させた水槽用ポンプとする場合には、ノズル２９、透明パイプ２５、ポンプ側ホース１７、及び、蛇腹ホース１４は、排水量を向上させるように、適宜、内径寸法を大きくすればよい。
【図面の簡単な説明】
【００３９】
【図１】本考案の一実施形態を示す水槽用ポンプの分解図である。
【図２】実施形態の水槽用ポンプにおけるノズルの接続状態を示す断面図である。
【図３】実施形態の水槽用ポンプにおけるノズルの正面図である。
【図４】実施形態の水槽用ポンプの使用状態を示す図である。
【図５】実施形態の水槽用ポンプの他の使用状態を示す図である。
【図６】実施形態の水槽用ポンプのさらに他の使用状態を示す図である。
【図７】実施形態の水槽用ポンプのさらに他の使用状態を示す図である。
【図８】実施形態の水槽用ポンプに使用する流量調整器の使用状態を説明する図である。
【符号の説明】
【００４０】
１…水槽、
２…（高さの低い水槽）亀水槽、
６…砂利、
７…ゴミ、
１０…水槽用ポンプ、
１１…吸水ポンプ、
１３…排水管路、
１６…吸水管路、
１７…ポンプ側ホース、
１９…蛇腹部、
２０…流量調整部、
２１…パイプ側接続部、
２２…先側筒部、
２３…奥側筒部、
２５…透明パイプ、
２９…ノズル、
３０…ストレーナ、
３１…先端部、
３２…元部、
３３…大径筒部、
３４…小径筒部、
３８…固定リング、
４０…吸盤、
４２…流量調整器、
４３…挿通孔、
４４…（穴部）大開口部、
４５…（穴部）中開口部、
４６…（穴部）小開口部、
Ｗ…水。
【図１】
0003121107.tif 000003
【図２】
0003121107.tif 000004
【図３】
0003121107.tif 000005
【図４】
0003121107.tif 000006
【図５】
0003121107.tif 000007
【図６】
0003121107.tif 000008
【図７】
0003121107.tif 000009
【図８】
0003121107.tif 000010